Podtech/llm-jp-corpus-v4-ja_patent huggingface dataset:
(57)【要約】      （修正有）【課題】手巻き寿司の食卓提供用具に関するものである。手巻き寿司をお皿に横倒しして出されると、変形、型崩れをおこし、中も見にくく、他の食品に触れないように、細心のが必要だった。【解決手段】二つの受け盤１，２に複数の貫通穴２を設けて、軸８で二つの受け盤１，２を固着し、貫通穴２にはテーパーを付け、手巻き寿司を上から挿入して運ぶ。貫通穴２の数量は受け盤毎に違えておけば人数によって使い分けられる手巻き寿司の食卓提供用具である。【選択図】  図１
2006280890.tif 000002
【特許請求の範囲】
【請求項１】
二つの受け盤に複数の貫通穴を設けて、軸で二つの受け盤を固着したことを特徴とする手巻き寿司の食卓提供用具。
【発明の詳細な説明】
【技術分野】
【０００１】  本発明は、手巻き寿司の食卓提供用具に関するものである。
【背景技術】
【０００２】  従来、店で出す手巻き寿司の形状は円錐状になっているため、お皿の上に横倒しにて出すのが一般的だった。
【発明の開示】
【発明が解決しようとする課題】
【０００３】  そのために、次のような問題点があった。
（イ）横に倒すと変形、型崩れする。
（ロ）横に倒すと、巻き芯の食材に何が入っているか見えにくかった。
（ハ）回転すし店の回転テーブルの横幅が狭いために、他の食材に触れないように細心の注意をはらいながら置かなければならなかった。
（ニ）横になっているために、カラフルな巻き芯の食材を入れていても見難いために、料理人の見栄えのするトッピングの工夫が顧客に伝わりにくい。
本発明は、以上の問題点を解決するためになされたものである。
【課題を解決するための手段】
【０００４】  二つの受け盤に複数の貫通穴を設けて、軸で二つの受け盤を固着する。
本発明は以上の構成からなる、手巻き寿司の食卓提供用具である。
【発明の効果】
【０００５】  上記により、手巻き寿司を立てた状態で提供することができるので、変形、型崩れもしない。
また、巻き芯の食材が上から見られるので、従来のように首を傾けて横方向から見なくてもよいし、食材の好み順から食することができる。
また、手巻き寿司を立てられるので、回転テーブルに置く際、隣の皿を気にすることなく速やかにおくことができる。
また、料理人がトッピングの際に、上部から巻き芯の食材が見えるので、見栄えのよい配列を提供できる。
また、ホームパーティ用、家庭の食卓、あるいは手巻き寿司の販売促進用として活用できる。
【発明を実施するための最良の形態】
【０００６】  以下、本発明の実施の形態について説明する。
（イ）円形状の受け盤（１）に複数のテーパー状の貫通穴（２）を設ける。この穴（２）は四角状、または正三角状に配置してもよく、特に位置については特定するものではない。
（ロ）楕円形状の受け盤（３）に複数の逆テーパー状の貫通穴（４）を設ける。この穴（４）は受け盤（１）に設けた貫通穴（２）の数よりは少ない方が望ましい。貫通穴（４）の位置は前記と同様に特定するものではない。
（ハ）それぞれの受け盤（１）（３）には、貫通穴（２）（４）間に突起部（５）を設ける。これは、受け盤（１）（３）をテーブル（６）に置いたとき、受け盤（１）（３）とテーブル（６）との間に隙間（７）を設け、受け盤（１）（３）の汚れを防止し、あわせて滑り止めの役目を果たすものである。
（ニ）上記の受け盤（１）（３）を軸（８）で固着する。つまり、固着することで砂時計を使うように、受け盤（１）を上面に、あるいは他の受け盤（３）を上面に必要に応じて使分けできる。
本発明は以上の構成からなるもので、以下使用例について説明する。
３〜４コの手巻き寿司を提供するときは、貫通穴（２）が多い受け盤（１）を上面にして、手巻き寿司を穴（２）に挿入する。手巻き寿司の数が少ないときは、貫通穴（４）の少ない受け盤（３）を上面にする。このようにして、顧客の注文数によって使い分けできる。
手巻き寿司の太さが円錐状になっているので、穴（２）（４）によって保持され、いつも立った状態で顧客に提供できるようになるので、従来問題とされていた点が、一挙に解決できる。
このようなものは手巻き寿司用として無かったので、顧客サービスとして喜ばれる。
なお、図面上は円形、楕円形の受け盤（２）（４）を示したが、図６に示すように二つの受け盤を横長上の板にして、それぞれに穴を設けることもできる。つまり傘立て状態の手巻き寿司の食卓提供用具も可能である。
【図面の簡単な説明】
【０００７】
【図１】  本発明の斜視図
【図２】  本発明の受け盤の平面図
【図３】  本発明の他の受け盤の平面図
【図４】  本発明の断面図
【図５】  本発明の正面図
【図６】  本発明の他の実施例図
【図７】  本発明の使用説明図
【符号の説明】
【０００８】１は受け盤
２は穴
８は軸
【図１】
2006280890.tif 000003
【図２】
2006280890.tif 000004
【図３】
2006280890.tif 000005
【図４】
2006280890.tif 000006
【図５】
2006280890.tif 000007
【図６】
2006280890.tif 000008
【図７】
2006280890.tif 000009
(57)【要約】【課題】  洗剤不要、作業効率が高く、洗濯機で洗うことが出来て直後の再使用時にも不快感のない食器洗い具を提供する。【解決手段】掌側に主にアクリル繊維を素材とする起毛生地、手の甲側にネットあるいはメッシュ生地を用いて手袋型の形状とする。手に装着して洗い物をする。【選択図】図１
2006280885.tif 000002
【特許請求の範囲】
【請求項１】
手にはめて使う手袋状の食器洗い具であって、掌側の面には起毛部分が主にアクリル繊維等からなる起毛生地を用い、手の甲側の面にはネットあるいはメッシュ生地を用いることを特徴とする食器洗い具。
【請求項２】
請求項１に記載の食器洗い具であって、その形状がミトン型であることを特徴とする食器洗い具。
【請求項３】
請求項１に記載の食器洗い具であって、手袋の両側部に開口部を設ける事を特徴とする食器洗い具。
【発明の詳細な説明】
【技術分野】
【０００１】この発明は食器洗い具に関するものである。
【背景技術】
【０００２】
【特許文献１】特開平１１−３２９５８
【発明の開示】
【発明が解決しようとする課題】
【０００３】  従来より洗剤がなくても洗える食器洗い具としてアクリル毛糸を使用した手編みのタワシがある。しかし、手編みの手間がかかるうえ、編み目や毛糸の内部に油汚れが入り込むと洗ってもなかなかなきれいにならないという欠点があった。アクリル毛糸をミトン型に編んだ場合は作業効率が高いが、使用直後に再度使う際、手の甲が濡れて気持ちが悪いといった欠点があった。これらの欠点を解消することが本発明の課題である。
【課題を解決するための手段】
【０００４】作業効率を高めるため、手にはめて用いる形状とする。掌側にはアクリル繊維などの親油性の高い繊維を用いた毛足の長さが概ね２ｍｍ以上、願わくは４ｍｍ以上の起毛生地２を用いる。一般にボアと呼ばれ、ぬいぐるみなどに用いられている素材である。手の甲側には吸水性の低い素材で作ったネットあるいはメッシュ生地３を用いる。
【発明の効果】
【０００５】手にはめて用いるので、食器洗い作業が非常に効率よくできる。右利きの場合、洗った食器を左手で洗い籠に移動させると同時に右手で次に洗う食器を持ち上げる事ができるので時間のロスが少ない。一般の食器洗い具は右手で掴んで使用するので、左手だけで上記の作業を順にこなす必要があり時間が無駄になっている。洗い物の途中で金属タワシを使いたいときがあるが、本発明の食器洗い具１は装着したまま物を掴むことが出来るので手早く使用できる上に金属タワシによる擦り傷の心配からも解放される。【０００６】手の両面を使って洗うという点でも作業効率がよい。手の甲側に用いられているネットあるいはメッシュ生地３はこびりついた物を取り除く機能もあるので、固まったご飯粒などをこそげ落とす事も可能で、油汚れ以外の頑固な汚れにも対応する。手の甲側にネットあるいはメッシュ生地３を用いているので直後の再使用にも不快感がなく乾燥も早い。【０００７】  起毛素材は毛足が長いため表面積が非常に大きい。その為、洗剤なしでしかも、お湯の温度が低くてもかなり綺麗に汚れを落とすことが出来る。その効果は驚くほどで、従来のアクリル毛糸タワシよりずっと優れている。起毛部分は細い繊維状で糸状ではないので、汚れが中まで入り込むことはない。油汚れがひどい食器を洗っても長い毛足部分で十分それらを吸収、あるいは吸着できるので、生地の土台になっているニット部分まで油が染みこむことはほとんど無く、石けんで軽く洗うと簡単に汚れが落ちる。また、実施例１あるいは実施例３においては起毛生地が親指を覆っており茶碗の糸じりやシール容器の溝などの細かい部分を指先を使ってきれいにするのにも適している。【０００８】スポンジなど従来の食器洗い具やタワシなどは壊れやすいので洗濯機で洗うことが出来なかったが本発明の食器洗い具１は洗濯機などでしっかり洗うことができ、清潔を保ちやすい。手編みのアクリルタワシも洗濯機で洗うことはできるが、繰り返して洗うとフェルト化する傾向がある。しかし本発明の食器洗い１は洗濯による生地の劣化が少なく、この点でも優れている。【０００９】尚、本発明における生地とは織物のみではなくニット生地なども含める物とする。起毛生地２の起毛部分にはアクリル１００％の繊維を用いることが望ましいが汚れを吸着したり取り除いたりする機能があるものであればアクリル繊維に限定しない。起毛部分の毛足の長さは用途により調節する。
【発明を実施するための最良の形態】
【００１０】掌側を起毛生地２、手の甲側をネットあるいはメッシュ生地３などで作る。用途によっては掌側と手の甲側を逆に使用することも出来る。起毛部分の毛足の長さは概ね５ｍｍ〜１０ｍｍ程度が使いやすいと思われる。
【実施例１】
【００１１】実施例１を図１に示す。形状はミトン型にする。掌側は起毛部分がアクリル繊維でできたボア生地、手の甲側はナイロン製のネットあるいはメッシュ生地３を素材とする。親指の反対側に吊り紐４を付ける。この例では左利き用、右利き用の両方を準備する必要がある。
【実施例２】
【００１２】実施例２を図２に示す。親指のない手袋型である。親指の位置には開口部５を設ける。この開口部５を左右両方に設けることによって右利き左利きの両用となる。片面が起毛生地２、もう一方がネットあるいはメッシュ生地３なのは実施例１と同様である。左右に開けられた指用開口部５から親指を出して使用するが、その際反対側の開口部５は不要である。左右の手を変えて使用する際には反対側の開口部５が必要となる。尚、開口部５の位置や大きさを工夫して親指の反対側の開口部から小指を出せるようにしておくと、ミトンをはずさずに細身の湯飲みやコップを洗う事ができるので便利である。
【実施例３】
【００１３】実施例３を図３に示す。全体を起毛生地２で構成し、手の甲側に大きな開口部６を設ける。ネットあるいはメッシュ生地３は使用しない。
【産業上の利用可能性】
【００１４】食器洗い具は各家庭で毎日使用される物なので産業的価値は高い。製造に当たっては、安価な素材を用いて工場で簡単に縫うことが出来るので低コストで仕上がる。
【図面の簡単な説明】いずれの図もおよその形状だけを示し起毛の様子までは示さない。【図１】  実施例１をしめした背面図である。
【図２】  実施例２をしめした背面図である。図１，図２はいずれも見えない面が起毛生地になっている。正面図も素材が異なるだけで形はほぼ同じなので省略する。
【図３】  実施例３をしめした背面図である。正面図は開口部６が無い点以外は同様なので省略する。実施例３は起毛生地２で作られる。
【符号の説明】
１  食器洗い具
２  起毛生地
３  ネットあるいはメッシュ生地
４  吊り紐
５  指用開口部
６  開口部
【図１】
2006280885.tif 000003
【図２】
2006280885.tif 000004
【図３】
2006280885.tif 000005
(57)【要約】【課題】アルミ缶、プラスチック、木等、材質において形成した貯金箱において、数万円、数十万円のようなまとまった金額を、目標貯金額とするのに極めて適した主として大人が使用する紙幣用貯金箱を提供する。【解決手段】箱型ケース本体と、該ケース本体の一面に形成した紙幣を挿入するための長孔と、ケース本体内に具備した重り平板により、貯金により投入した札束の折り目、しわをきれいに揃えることができるように構成した。また重り平板の材質を鉄等の磁石で吸引できるものとすることにより貯金した紙幣（札束）を圧縮し、より多くの貯金を実現できるものである。またプルトップとプルトップ取り出し溝を設けることにより、ケース本体から紙幣を取り出すときに簡単にすばやくできる。【選択図】図１
2006280838.tif 000002
【特許請求の範囲】
【請求項１】
箱型ケース本体と、該ケース本体の一面（上面）に形成した紙幣を挿入するための長孔と、箱型ケース本体内に収納した重り平板とを具備してなり、該紙幣を投入後、重り平板が折り目、しわを取り除き、きれいに揃えていけるように構成したことを特徴とする紙幣用貯金箱。
【請求項２】
前記請求項１記載の貯金箱に、さらに、ケース本体の裏面側（下面）からも紙幣を挿入するための長孔を設け、収納した重り平板を境にして、金額の違う紙幣を貯められる貯金箱。
【請求項３】
請求項１,２の貯金箱において、ケース本体一面（上面）を開けるためのプルトップとプルトップ取出し溝をさらに備えたことを特徴とする貯金箱。
【発明の詳細な説明】
【技術分野】
【０００１】
本発明は、貯金箱内の紙幣が折り目、しわ、がなくなり、きれいに揃って収納できるようにした紙幣用貯金箱に関する。
【背景技術】
【０００２】
従来の貯金箱は、現金投入可能な投入口を有し、同投入口から主として硬貨を投入するように構成されていた。従来の貯金箱でも小さく折りたためば紙幣を投入することもできたが、この貯金箱は主として硬貨投入用として使用さているものである。従って、従来の貯金箱は、数万円という金額を目標貯金額とするには、全く役に立たないものであった。しかして、本紙幣貯金箱は、ケース内に重なる紙幣の折り目、しわが取れてきれいに揃い、より多くの紙幣が貯金でき、従来市販されていないし、このような発想も知られていない。
またプルトップとプルトップ取り出し溝を設けることで、紙幣を取り出すとき簡単に、早くできる。
【特許文献１】特開２００３‐１４４２１３号公報
【特許文献２】実願平９−６９１３（登録実用新案第３０４４９９２号）
【発明の開示】
【発明が解決しようとする課題】
【０００３】
本発明は、数万円のようなまとまった金額を目標貯金額とするために、より多くの金額を、きれいに揃えて貯金できることに極めて適した、主として大人が使用する紙幣用貯金箱を提供することを目的とする。
【課題を解決するための手段】
【０００４】
上記目的に沿う本発明の構成は、箱型ケース本体と、該ケース本体の一面（上面）に形成した紙幣を挿入するための長孔と、ケース本体内に収納した重り平板により、投入した紙幣の折り目、しわを伸ばし、より多くの紙幣をきれいに揃えて貯金できることをとく特徴とする（請求項１）。
またケース本体の裏面（下面）に、紙幣を挿入するための長孔を具備し、表裏同時に金額の違う紙幣を分けて貯金することもできる（請求項２）。
さらに、上記貯金箱において、ケース本体一面（上面）を開けるためのプルトップとプルトップ取り出し溝を具備したことを特徴とする。そして、プルトップを、ケース本体上方に引っ張ることにより、プルトップ取り出し溝に沿ってケース本体を開けることができ、これにより、上記ケース本体内部に貯蓄した紙幣を取り出すことができる。従って、本発明の貯金箱は使い捨て缶構造を有する（請求項３）。
【発明の効果】
【０００５】
以上述べた如く、本発明によれば、構造が簡単でかつ製造コストか安価であり、しかも紙幣投入用貯金箱の札束をきれいに揃えて貯金でき、貯金箱一個で、二種類の紙幣を分類して貯金でき、重り平板の効果で折り目、しわも伸び、数万円、数十万円というまとまった貯金額を目標貯金額とすることができるので、毎日千円程度を節約することによって、旅行や高価なものの購入等が可能となるから、利用者の日常生活を豊かにすることに大いに貢献するものである。
【発明を実施するための最良の形態】
【０００６】
次に、本発明の実施の形態を説明する。図１は本発明の一実施例を示す斜視図であり、直方体の箱型ケース本体１の上面の一端には、細長い長孔からなる紙幣投入口２が形成され、該ケース本体１の裏面にも同じように紙幣投入口２を形成する。こうすることによりケース本体１の上面からも下面からも紙幣６を投入でき、またケース本体１内に紙幣大の、大きさの重り平板３を具備し、それぞれの紙幣投入口２から投入した紙幣1,000円札、5,000円札、10,000円札を分けて貯金することができ、重り平板３の上部と下部に紙幣６（札束）が分かれて収納され、下部に位置する紙幣６（札束）は重り平板３の加重で、紙幣の折り目、しわがきれいに伸ばされて、かつ圧縮されるため、より多くの紙幣６（札束）が貯金できるようになるのである。また上部紙幣６（札束）の圧縮をするにはケース本体をひっくり返せばその目的を達成することができる。さらには重り平板３の材質を鉄等の磁性体にすれば、ケース本体１外側から磁石５により、間に挟まれた紙幣６（札束）は更に圧縮されて、きれいに揃い、より多くの貯金ができるようになる。またケース本体１にプルトップとプルトップ取り出し溝を設ければ、貯金箱を開放するときにはより早く、簡単に、紙幣６（札束）を取り出すことができる。
ケース本体（貯金箱）の材質自体はアルミ缶、プラスチック等の従来の貯金箱と同様の材質で形成すればよく、また本発明の貯金箱の大きさは、紙幣を折りたたまずに収容できる大きさであれば良く、好ましくは縦８５mm前後、横１６５ｍｍ前後の直方体とするのが良い。高さは１０００円札で最大５〜１０万円程度収容できる程度が良く、好ましくは４０mm前後とするのが良い。あるいは紙幣を二つ折りにしても重り平板の効果で圧縮されるので、横の長さを８３ｍｍ前後にしても可能である。
【図面の簡単な説明】
【０００７】
【図１】本発明の一実施例を示す斜視図である。
【図２】本発明の平面図である。
【図３】本発明の断面図である。（Ａ−Ａ‘）
【符号の説明】
【０００８】
１  ケース本体
２  紙幣投入口（長孔）
３  重り平板
４  プルトップ
５  磁石
６  紙幣（札束）
７  プルトップ取り出し溝
【図１】
2006280838.tif 000003
【図２】
2006280838.tif 000004
【図３】
2006280838.tif 000005
(57)【要約】      （修正有）【課題】停止スイッチの溶着による輸液停止異常が発生する可能性をなくした輸液装置の制御方法を提供する。【解決手段】原動機で駆動されシリンジの吸子を押圧し液体を送出する輸液装置において、ノーマルオープン接点かつ接点復帰型共用スイッチを採用した輸液開始・停止スイッチを設け、輸液開始時にはスイッチ接点信号のオープン信号−ショート信号−オープン信号の順番の３信号発生を条件として開始認識を行い、停止時にはスイッチ接点信号のオープン信号−任意の時間のショート信号の順番の２信号発生を条件として停止認識を行なう。【選択図】図１
2006280475.tif 000002
【特許請求の範囲】
【請求項１】
原動機で駆動されシリンジの吸子を押圧し液体を送出する輸液装置において、ノーマルオープン接点かつ接点復帰型共用スイッチを採用した輸液開始・停止スイッチを設け、輸液開始時にはスイッチ接点信号のオープン信号−ショート信号−オープン信号の順番の３信号発生を条件として開始認識を行い、停止時にはスイッチ接点信号のオープン信号−任意の時間のショート信号の順番の２信号発生を条件として停止認識を行なうことを特徴とする輸液装置の制御方法。
【発明の詳細な説明】
【技術分野】
【０００１】
本発明は輸液装置の制御方法、特に、原動機の回転によりシリンジの吸子を押圧し液体を送出する輸液装置のスイッチ制御方法に関するものである。
【背景技術】
【０００２】
ノーマルオープン接点かつ接点復帰型共用スイッチを採用した輸液開始・停止スイッチを設けたものでは、輸液開始時にはスイッチ接点信号のオープン信号−ショート信号発生を条件として開始認識を行い、停止時にもオープン信号−ショート信号発生を条件として停止認識を行う制御を行っていた。従来の輸液装置としては特許文献１がある。
【０００３】
【特許文献１】特開２００３−７０９０９号
【発明の開示】
【発明が解決しようとする課題】
【０００４】
然しながら、ノーマルオープン接点且つ接点復帰型共用スイッチでは、接点の溶着現象により、接点が接続されたままとなってショート信号が継続して出力される可能性があり、輸液停止動作を行うときにオープン信号が得られず停止が出来ない可能性が懸念されていた。
【０００５】
本発明は上記の欠点を除くようにしたものである。
【課題を解決するための手段】
【０００６】
本発明の輸液装置の制御方法は、原動機で駆動されシリンジの吸子を押圧し液体を送出する輸液装置において、ノーマルオープン接点かつ接点復帰型共用スイッチを採用した輸液開始・停止スイッチを設け、輸液開始時にはスイッチ接点信号のオープン信号−ショート信号−オープン信号の順番の３信号発生を条件として開始認識を行い、停止時にはスイッチ接点信号のオープン信号−任意の時間のショート信号の順番の２信号発生を条件として停止認識を行なうことを特徴とする。
【発明の効果】
【０００７】
本発明の輸液装置の制御方法によれば、スイッチ溶着時に輸液開始が出来なくなり、輸液停止が出来なくなるという最も人体に危険な事象を排除可能となる。
【０００８】
また、輸液停止時にオープン信号−任意の時間のショート信号発生を条件としたことにより、操作者の意図した停止を実現させ、誤操作による輸液停止を防止することが可能となる。
【発明を実施するための最良の形態】
【０００９】
以下図面によって本発明の実施例を説明する。図１は本発明になる一実施例を示す。
【実施例１】
【００１０】
図１において１は本発明を適用する輸液装置、２はノーマルオープン接点かつ接点復帰型共用スイッチを採用した輸液開始・停止スイッチを示し、本発明の輸液装置の制御方法においては、スイッチ２を指等にて押すことにより輸液開始及び停止の制御を行う。スイッチ２に負荷がかかっていないときは、その接点はオープン状態であり、スイッチ２を押すことによりその接点はショート状態となる。輸液開始時にはスイッチ２のオープン信号及び指等にての押し込み時のショート信号、そして指を離すことによるオープン信号の３信号発生を条件として開始認識を行う。
【００１１】
本発明の輸液装置の制御方法は上記のとおりであるから、若しスイッチ押し込み時のショート信号出力後にスイッチ２の接点に溶着が発生した場合は、指を離してもオープン信号が得られず輸液開始認識がされない。また、輸液停止時にスイッチの接点に溶着が発生した場合は、指を離してもオープン信号が得られず輸液開始認識がされない。従って、如何なる状態においてもスイッチ２の接点に溶着が発生した場合は、輸液開始が不可能となり、輸液停止が不可能となる事態を回避可能となる。
【００１２】
上記のように本発明の輸液装置の制御方法によれば輸液開始・停止スイッチの接点溶着が、如何なる時に発生しても、輸液開始が不可能となり、輸液停止が不可能となる事態を回避可能である。
【図面の簡単な説明】
【００１３】
【図１】本発明の輸液装置の制御方法を用いる輸液装置の説明図である。
【符号の説明】
【００１４】
１  輸液装置
２  開始・停止スイッチ
【図１】
2006280475.tif 000003
(57)【要約】      （修正有）【課題】ジョギング、ウォーキングで足を動かすことで筋肉増強し、疲れを軽減するものである。【解決手段】アシアレイ（２ミリ−５ミリの６７マルー６８マル．ステンレス．鉄の金属板）を運動靴のヒモ穴の前から２番目の穴に靴ヒモで左右しばる。ウォ−キングや足を動かす事により、筋肉増強で疲れが軽減される。最初は２ミリのアシアレイで３ヵ月続け次の３ミリと取り替えて続ければ、より筋肉増強し疲れがより軽減される。アシアレイ（ステンレスの金属板）６７マルで２ヵ所７．５マルの穴をあけ、１３０マル半円に曲げる。７．５穴に７ミリのハトメ玉をはめ込み塗装する。【選択図】図１
2006280901.tif 000002
【特許請求の範囲】
2006280901.tif 000003
【発明の詳細な説明】
アシアレイ
０１
本発明は、金属板（鉄．ステンレス）を運動靴の上に固定し、足を動かし筋肉増強で、疲れを軽減するものである。
０２
運動靴の靴ヒモの２番目穴を利用して、金属板を運動靴の上にしっかりと、ヒモで固定する。
ジョッギング．ウォ−キング．足を動かし筋肉増強で、疲れを軽減するものである。
０３
最初は軽いアシアレイ（金属板）２ミリ．５７グラムを運動靴の上にしっかりと、ヒモで固定する。
ウォ−キングを毎日続ける事で、１カ月位で筋肉が増強し、疲れの軽減を身体で感じる様になる。より効果を上げる為に、無理しない範囲（３ヵ月以上）まで続けて、より重たい３ミリ．７８グラム．４ミリと重たいものを使用していく。
ウォ−キングは白線の上を歩く様な足の運びで歩く事。
そうでないと、腰を痛めます。
効果
筋肉増強で、疲れを軽減して、寝つきがよく、体の動きがよく仕事に活力が湧く。
2006280901.tif 000004
【手続補正書】
【提出日】平成17年10月10日(2005.10.10)
【手続補正１】
【補正対象書類名】特許請求の範囲
【補正対象項目名】全文
【補正方法】変更
【補正の内容】
【特許請求の範囲】
運動靴の上に金属板（鉄又ステンレス）を靴ヒモの２番目穴を利用して、金属板をヒモでしっかりと左右とも固定する。
ジョッギング．ウォ−キングなど足を動かし筋肉増強して、疲れを軽減する。
１．金属板を靴の上に固定
２．２番目穴を利用しこの位置が大事である、前でも後ろでも位置が変わると、バランスが崩れる。
３．金属板の厚みを変えると、ウォーキングの初心者からベテランまで、利用できる。
外形６７パイ  ．ステンレス  ．プラス、マイナス５グラム
２ミリ        ５６グラム      ４ミリ      １０３グラム
３ミリ        ７８グラム      ５ミリ      １３８グラム
４．金属板を１３０パイの半円に曲げる、２ヵ所に７．５パイの穴をあける（ヒモを通し固定する穴）７ミリのハトメ玉をはめ込み塗装おこなう。
【手続補正２】
【補正対象書類名】明細書
【補正対象項目名】全文
【補正方法】変更
【補正の内容】
【発明の詳細な説明】
【０１】本発明は、金属板（鉄．ステンレス）を運動靴の上に固定し、足を動かし筋肉増強で、疲れを軽減するものである。
【０２】運動靴の靴ヒモの２番目穴を利用して、金属板を運動靴の上にしっかりと、ヒモで固定する。
ジョッギング．ウォ−キング．足を動かし筋肉増強で、疲れを軽減するものである。
【０３】最初は軽いアシアレイ（金属板）２ミリ．５７グラムを運動靴の上にしっかりと、ヒモで固定する。
ウォ−キングを毎日続ける事で、１カ月位で筋肉が増強し、疲れの軽減を身体で感じる様になる。より効果を上げる為に、無理しない範囲（３ヵ月以上）まで続けて、より重たい３ミリ、７８グラム．４ミリと重たいものを使用していく。
ウォ−キングは白線の上を歩く様な足の運びで歩く事。
そうでないと、腰を痛めます。
【効果】
筋肉増強で、疲れを軽減して、寝つきがよく、体の動きがよく仕事に活力が湧く。
【図面の簡単な説明】１（０１．０２．０３）．はアシアレイの使用方法と効果を説明いたしました。
図１．
図２．は製作（加工）の説明になります。【図１】側面図  金属板を１３０パイの半円に曲げることで靴の上に固定（なじむ）グラツキがなく安定させられる。
【図２】平面図  １３０パイの半円に曲げた一番低い外形から直線で円の中心線に、両方の外形から１５ミリの所に２ヵ所７．５パイの穴をあけて、７ミリのハトメ玉をはめ込み塗装をおこなう。外形から１５ミリの穴はアシアレイの固定にあった寸法になります。ハトメ玉は靴ヒモの磨耗をふせぐのにやくにたちます。塗装は腐食を防ぎ、好きな色を選ぶことができる。
【図３】アシアレイ取りつけの写真  アシアレイを運動靴のヒモ穴の前から、２番目の穴に靴ヒモでしばり取りつけた写真です。この写真は靴ヒモを２本を使用していますが、１本でも上から真横に通す靴ヒモの通しかたにすればできます。
【手続補正３】
【補正対象書類名】図面
【補正対象項目名】全図
【補正方法】変更
【補正の内容】
【図１】
2006280901.tif 000005
【図２】
2006280901.tif 000006
【図３】
2006280901.tif 000007
(57)【要約】【課題】  食材などに塩などの調味料を振り掛けるには、濡れている手指を一度拭いてから振り掛けるか、調理用スプーンで振り掛けるかで、いずれも素早く均一に振り掛けることが困難であった。本発明は、手指が濡れていても簡単に素早く均一に塩などの調味料を食材などに振り掛けることの出来る調理スプーンを提供することにある。【解決手段】    本発明のスプーンは、細幅・縦長の柄の付いた掬うスプーン２と、細幅・縦長の柄の付いた掬う面全体に大きさの違う穴が多数開いたスプーン１からなり、スプーン１、２の掬う面を互いに向い合せて、柄３、４がそれぞれ摺動出来るように拘束部５で拘束し、スプーンそれぞれを単独にすることが出来ることを特徴とする調理スプーンである。【選択図】  図３
2006280688.tif 000002
【特許請求の範囲】
【請求項１】
細幅・縦長の柄の付いた掬うスプーンと、細幅・縦長の柄の付いた掬う面全体に大きさの違う穴が多数開いたスプーンからなり、掬う面が互いに向かい合わせて、柄がそれぞれ摺動出来るように拘束されていることを特徴とする調理スプーン。
【発明の詳細な説明】
【技術分野】
【０００１】
本発明は、スプーンで掬った粒状の違う塩などの調味料を、スプーンの角度をいろいろ変えて振ることでスプーンの穴から振り落とすことが出来る。主に調理する食材などに塩などの調味料を素早く均一に振り掛けることに活用出来る調理スプーンに関するものである。
【背景技術】
【０００２】
調理時において、食材などに塩などの調味料を均一に振り掛けるには、手指では、食材などに触れているため常に濡れていて、一度手指を拭いてからでないと振り掛けることが出来ず均一にすることは困難であった。
また、調理用計量スプーンの場合は、山盛りに掬った塩などの調味料を平面に多数穴の開いた板で擦り切られ、掬ったスプーンと擦り切る平面板の間に閉じ込められ、スプーンを振っても内部で浮動しにくいため素早く振り掛けることが出来なかった。
更に、粒状の違う塩などの調味料の時は、粒状の大きさに合わせて穴の大きさの違う擦り切り板と取り替える煩わしさがあり、簡単に素早く均一に振り掛けることは容易に出来なかった。（特許文献１、２を参照）
【特許文献１】特開平９−２２０１５２号公報
【特許文献２】特開２００２−８３７９２号公報
【発明の開示】
【発明が解決しようとする課題】
【０００３】
食材などに塩などの調味料を振り掛けるには、濡れている手指を一度拭いてから振り掛けるか、調理用スプーンで振り掛けるかで、いずれも素早く均一に振り掛けることが困難であった。本発明は、手指が濡れていても簡単に素早く均一に塩などの調味料を食材などに振り掛けることの出来る調理スプーンを提供することにある。
【課題を解決するための手段】
【０００４】
本発明のスプーンは、細幅・縦長の柄の付いた掬うスプーン２と、細幅・縦長の柄の付いた掬う面全体に大きさの違う穴が多数開いたスプーン１からなり、スプーンの掬う面を互いに向い合せて、柄３、４がそれぞれ摺動出来るように拘束部５で拘束し、スプーンそれぞれを単独にすることが出来ることを特徴とする調理スプーンである。
【発明の効果】
【０００５】
本発明の請求項１に記載の構成によれば、構造簡単で細幅・縦長の柄の付いた掬うスプーンと、細幅・縦長の柄の付いた掬う面全体に大きさの違う穴が多数開いたスプーンからなり、スプーンの掬う面が互いに向い合せて、柄がそれぞれ摺動できるように拘束部で拘束されている。調理時、食材などに塩などの調味料を振り掛ける場合、濡れた手指でも支障なく片手でスプーンを摺動出来、スプーンの周縁面同士を合わせて振ることにより、掬った塩などの調味料を食材などに簡単に素早く均一に振り掛けることが出来る。
【発明を実施するための最良の形態】
【０００６】
本発明のスプーンの実施形態を添付図に基づいて、以下に説明すると、
図３ａ・図３ｂに示すように、細幅・縦長の柄の付いた掬うスプーン２と、細幅・縦長の柄の付いた掬う面全体に大きさの違う穴が多数開いたスプーン１からなっており、スプーン１、２の掬う面を互いに向い合せて、柄３、４がそれぞれ摺動出来るように柄３付根部に固設した拘束部５で柄３、４を拘束する。また、拘束部５と柄３の上面には、スプーン１で擦り切る動作を親指で容易に出来るように滑り止部６を施した構成である。
【０００７】
図１ａ・図１ｂ・図４ａに示すように、調理時、食材などに塩などの調味料７を均一に振り掛ける場合、スプーン１、２の周縁面８、８ａ同士が互いに合わさらない形態で塩などの調味料７を掬い取り、穴の開いたスプーン１を掬ったスプーン２方向へ拘束部５と柄３の滑り止部６を親指で移動しながら、図４ｂに示すように擦り切る。
【０００８】
図２ａ・図２ｂ・図４ｃに示すように、スプーン１を移動すると拘束部５の角とスプーン２の角が当り、スプーン１、２の周縁面８、８ａ同士が合わさる形態で止まる。合わさったスプーン１、２内部の調味料７はスプーン１、２の溶積の半分以下に擦り切られているため、スプーン１、２を振ることによりスプーン内で浮動しスプーンの穴から飛び出る。
【０００９】
図５ａ・図５ｂ・図５ｃに示すように、スプーン１の周縁面８付近は小径で、深部方向に従い大径の穴が開いているため、スプーン１の面を上、下、横などに変えて振ることにより、粒状の違う塩などの調味料７でも穴から飛び出る量、方向を調整することが出来る。
【００１０】
更に、図１ａ・図３ａに示すように、掬うスプーン２の周縁面８ａと掬う面に多数穴の開いたスプーン１の周縁面８同士を合わさらない形態にすると、通常の調理スプーンとして調味料容器に入れて調味料を掬う調理スプーンとしても活用出来る。
【００１１】
前述のように、多数穴の開いたスプーン１の穴が塩などの調味料７で詰まったり、汚れた場合などは、掬うスプーン２の柄４を拘束部５から抜き出るまで移動させ、それぞれのスプーン１、２を単独にして容易に洗浄出来、常に清潔に保つ事が出来る。
【図面の簡単な説明】
【００１２】
【図１】（１ａ）はスプーン周縁面同士が合わさらない形態の平面図、（１ｂ）はＡ−Ａ線断面図である。
【図２】（２ａ）はスプーン周縁面同士が合わさった形態の平面図、（２ｂ）はＢ−Ｂ線断面図である。
【図３】（３ａ）はスプーン周縁面同士が合わさらない形態の斜視図、（３ｂ）はスプーン周縁面同士が合わさった形態の斜視図である。
【図４】（４ａ）はスプーンで調味料を掬い取った形態の断面図、（４ｂ）は掬い取った調味料を擦り切る過程の形態の断面図、（４ｃ）は調味料を擦り切った形態の断面図である。
【図５】（５ａ）は小さな粒状の調味料が穴から飛び出る形態の断面図、（５ｂ）は中位の粒状の調味料が穴から飛び出る形態の断面図、（５ｃ）は大きな粒状の調味料が穴から飛び出る形態の断面図である。
【符号の説明】
【００１３】
１      穴開きスプーン
２      掬うスプーン
３      穴開きスプーンの柄
４      掬うスプーンの柄
５      拘束部
６      滑り止部
７      調味料
８、８ａ      周縁面
【図１】
2006280688.tif 000003
【図２】
2006280688.tif 000004
【図３】
2006280688.tif 000005
【図４】
2006280688.tif 000006
【図５】
2006280688.tif 000007
(57)【要約】【課題】  従来、ネックレス等の留め具の構造は複雑で、装着にも予想外の時間が掛かることが多い。  この発明は、単純な構造にして時間を掛けずに装着できるネックレス等の留め具を提供することを課題とする。【解決手段】  留め具オス１の臍３と留め具メス８の臍９を合わせて回転すると、留め具オス１の右腕４が留め具メス８の左腕５と、留め具メス８の右腕４が留め具オス１の左腕５と合わさる。  その状態で留め具オス１と留め具メス８を引っ張ると留め具オス１の臍３が留め具メス８の臍９に沿って全体がスライドする。  留め具オス１の右腕先端６が留め具メス８の腰７に、留め具メス８の右腕先端６が留め具オス１の腰７にはまって止まり合体が完了する。  右腕先端６と腰７が合わさる面には１波以上の波形形状があるため、合体して普通に使用する上で簡単に外れることはない。【選択図】図７
2006280696.tif 000002
【特許請求の範囲】
【請求項１】
留め具オスの凸状の丸い臍と留め具メスの凹状の臍を合わせて回転することで合体することを特徴とするネックレス等の留め具。
【請求項２】
合体してからオスとメスを引っ張ることにより互いがスライドすることを特徴とするネックレス等の留め具。
【請求項３】
スライドして互いの右腕先端と腰が合わさって止まることを特徴とするネックレス等の留め具。
【請求項４】
右腕先端と腰が合わさる面に波形形状を有することを特徴とするネックレス等の留め具。
【発明の詳細な説明】
【技術分野】
【０００１】
この発明は、ネックレス等の留め具の構造に関するものである。
【背景技術】
【０００２】
ネックレス等の留め具の構造は複雑で作成が大変であり、装着にも予定外の時間が
掛かることが多い。
【発明の開示】
【発明が解決しようとする課題】
【０００３】
従来、ネックレス等の留め具の構造は複雑で、装着にも予定外の時間が
掛かることが多い。
【０００４】
この発明は、単純な構造にして時間を掛けずに装着できるネックレス等の留め具を
提供することを課題とする。
【課題を解決するための手段】
【０００５】
以上の課題を解決するために、留め具の胴体に左腕、右腕、右腕先端、腰を設けて、
オスの胴体には凸状の臍を設け、メスの胴体には凹状の臍を設ける。
【０００６】
右腕先端と腰が合わさる面には１波以上の波形形状を設ける。
【発明の効果】
【０００７】
この発明によれば、互いの左右の腕が相手に触れない位置で互いの臍を合わせて
回転させることにより、自身の左腕と右腕がそれぞれ相手の右腕と左腕に合わさり、
その状態で互いにスライドさせて右腕先端と腰が合わさって合体するので装着しやすい。
【０００８】
右腕先端と腰が合わさる面には１波以上の波形形状があるため、合体して普通に
使用する上で簡単に外れることはない。
【０００９】
また、構造が単純なので余分な組み立て行程も不要で、材質も金属に限らずカラフルな
プラスチック等も使える。
【発明を実施するための最良の形態】
【００１０】
この発明の第一の実施形態を、図１から図６に示す。
【００１１】
留め具オス１の胴体２に臍３、右腕４、左腕５、腰７を設けて、右腕４の先に
右腕先端６を設ける。
【００１２】
留め具メス８は、留め具オス１の臍３を留め具メス８の臍９に置き換えた形状である。
「実施形態の効果」
この実施形態によれば、オスの臍３とメスの臍９を合わせて回転させることにより、
互いの右腕４と左腕５が合わさり、スライドして互いの右腕先端６と腰７が合うので
装着しやすい。
【００１３】
右腕先端６と腰７が合わさる面には１波以上の波形形状があるため、合体して普通に
使用する上で簡単に外れることはない。
【００１４】
また、構造が単純なので余分な組み立て行程も不要で、材質も金属に限らずカラフルな
プラスチック等も使える。
【００１５】
なお図５と図６において、全体として角柱であるが、全体として円柱等に形状を
変更しても良い。
【図面の簡単な説明】
【００１６】
【図１】留め具オスの斜視図である。
【図２】留め具メスの斜視図である。
【図３】留め具を裏から見た斜視図である。
【図４】留め具オスを上から見た図である。
【図５】留め具メスを上から見た図である。
【図６】留め具を回転して合わせた斜視図である。
【図７】留め具を合わせてスライドさせた斜視図である。
【符号の説明】
【００１７】
１  留め具オス
２  胴体
３  オスの臍
４  右腕
５  左腕
６  右腕先端
７  腰
８  留め具メス
９  メスの臍
【図１】
2006280696.tif 000003
【図２】
2006280696.tif 000004
【図３】
2006280696.tif 000005
【図４】
2006280696.tif 000006
【図５】
2006280696.tif 000007
【図６】
2006280696.tif 000008
【図７】
2006280696.tif 000009
(57)【要約】【課題】  従来、ネックレス等の留め金の構造は複雑で、装着にも予想外の時間が掛かることが多い。  この発明は、単純な構造にして時間を掛けずに装着できるネックレス等の留め金を提供することを課題とする。【解決手段】  留める金具１の開口部２に留められる金具４の頭部５を差し込み、廻しながら押すことにより、留める金具１の耳３が留められる金具４のガイド溝６の終点まで入って止まる。  この状態で留められる金具４を廻すと、留められる金具４のラセン溝７に沿って留める金具１の耳３が移動して、留められる金具４は徐々に引き出される。  留める金具１の耳３が留められる金具４のラセン溝７の終点にある溜まり溝８に入ると回転運動と引き出される運動は止まり合体が完了する。  留められる金具４の溜まり溝８に入った留める金具１の耳３は留められる金具４のラセン溝７に入りにくいので普通に使う分には外れにくい。【選択図】図３
2006280700.tif 000002
【特許請求の範囲】
【請求項１】
留める金具に耳を、留められる金具にガイド溝、ラセン溝を設けたことを特徴とする
ネックレス等の留め金。
【請求項２】
ラセン溝の終点に溜まり溝を設けたことを特徴とするネックレス等の留め金。
【請求項３】
ガイド溝が、奥から入口に向かって末広がりであることを特徴とするネックレス等の
留め金。
【発明の詳細な説明】
【技術分野】
【０００１】
この発明は、ネックレス等の留め金の構造に関するものである。
【背景技術】
【０００２】
従来、ネックレス等の留め金の構造は複雑で、作成が大変であった。
【０００３】
永久磁石を使用するもので複雑な構造は、小さく作るのが不可能なものも多い。
【０００４】
また小さいものは装着にも予定外の時間が掛かることが多い。
【発明の開示】
【発明が解決しようとする課題】
【０００５】
この発明は、単純な構造にして時間を掛けずに装着できるネックレス等の留め金を
提供することを課題とする。
【課題を解決するための手段】
【０００６】
以上の課題を解決するために、留める金具に耳を、留められる金具にガイド溝、
ラセン溝、溜まり溝を設けたことを特徴とするネックレス等の留め金である。
【０００７】
留められる金具のガイド溝は、留められる金具の頭部に向かって末広がりである。
【発明の効果】
【０００８】
この発明によれば、留める金具の耳は、留められる金具のガイド溝に入りやすく、
ラセン溝を通って溜まり溝に収まるので装着しやく、溜まり溝に収まった留める金具の
耳はラセン溝に入りにくいので外れにくい。
【０００９】
また、構造が単純なので、余分な組み立て行程も不要で、材質も金属に限らず
カラフルなプラスチック等も使える。
【発明を実施するための最良の形態】
【００１０】
この発明の実施例を、図１から図３に示す。
【００１１】
留める金具１に耳３を、留められる金具４にガイド溝６、ラセン溝７、溜まり溝８を
設けてある。
【００１２】
留められる金具のガイド溝は、留められる金具の頭部に向かって末広がりである。
「実施形態の効果」
この実施例によれば、留める金具１の開口部２に留められる金具４の頭部５を差し込み
留められる金具４を廻しながら押すと留める金具１の耳３がなめらかに導かれて
留められる金具４のガイド溝６に入って行き、留める金具１の耳３は留められる金具４の
ラセン溝７に辿り着く。
【００１３】
その状態で留められる金具４を廻すと、留める金具１の耳３は留められる金具４の
ラセン溝７を通って留められる金具４の溜まり溝８に収まる。
【００１４】
留められる金具４の溜まり溝８に収まった留める金具１の耳３は、通常に使用する上で
留められる金具４のラセン溝７に戻りにくいので簡単に外れることはない。
【００１５】
また、構造が単純なので、余分な組み立て行程も不要で、材質も金属に限らず
カラフルなプラスチック等も使える。
「他の実施形態」
留められる金具に耳を、留める金具にガイド溝、ラセン溝、溜まり溝を設けることで
同じ効果を持たせるものでも良い。
【図面の簡単な説明】
【００１６】
【図１】留める金具の斜視図である。
【図２】留められる金具の斜視図である。
【図３】留める金具と留められる金具を合体した斜視図である。
【符号の説明】
【００１７】
１  留める金具本体
２  留める金具の開口部
３  留める金具の耳
４  留められる金具本体
５  留められる金具の頭部
６  留められる金具のガイド溝
７  留められる金具のラセン溝
８  留められる金具の溜まり溝
【図１】
2006280700.tif 000003
【図２】
2006280700.tif 000004
【図３】
2006280700.tif 000005
(57)【要約】【課題】家紋が印刷された糊つき家紋シールを設け、家紋シールを剥がし貼るか、印鑑に家紋を彫る事やゴム又は合成ゴムに家紋を彫り常時使用出来る家紋シール又は印鑑、スタンプを提供する。【解決手段】家紋が印刷された台紙に、裏面に糊又は合成樹脂製の接着剤を塗布し台紙に貼り付ける、又印鑑に家紋を彫り、又はスタンプのゴムに家紋を彫り、常時使用出来ることを特徴とする家紋シール及び家紋印鑑。【選択図】  図１
2006259651.tif 000002
【特許請求の範囲】
【請求項１】
裏面にアクリル系又は樹脂系糊を塗布した各種紙、和紙、各種合成紙、各種絹布、人絹紙、絹布、麻等に印刷又は描かれた家紋シール。
【請求項２】
家紋シールを図１のように一定間隔で台紙又は樹脂シートを列挙した請求項１記載の家紋シール。
【請求項３】
皇族を除いた日本国内のすべての家紋シールを個々又は適当間隔をおいて台紙に貼付する請求項１〜２の家紋シート。
【請求項４】
皇族を除いた日本国内のすべての家紋を象牙、ひつじ角、木製、アクリル、合成樹脂製の印鑑又はゴム・合成ゴム製のスタンプ印にする家紋印鑑。
【発明の詳細な説明】
【技術分野】
【０００１】  本発明は、糊付け、水付けしないで簡単に書籍、ノート、バック、着物、その他紙・木・プラスチック・合成樹脂製の物体に貼付出来る家紋シールと朱肉又はスタンプインクで色をつけ紙，布等に押し印をつける印鑑に関するものである。
【背景技術】
【０００２】  従来は家紋の表示がほしいときは、印刷、描き、刺しゅう等で対応していた。
【発明の開示】
【発明が解決しようとする課題】
【０００３】  そのために次のような問題点があった。
（イ）  すぐに必要な時に使うことが出来なかった。
（ロ）  ほんの１〜２枚必要でもたくさん印刷等しなければならなかった。
（ハ）  必要な時にすぐ手に入らなかった。
（ニ）  現在は見当たらない。
本発明は、以上の問題点を解決するためのものである。
【問題を解決するための手段】
【０００４】  家紋が印刷された台紙（１）において、裏面にアクリル系又は樹脂系の糊をつけた家紋シール（２）を台紙（１）から剥がし、貼る事を必要とする物にはる。あるいは、家紋が彫られた印鑑（３）．又はスタンプ印（４）に朱肉又は、スタンプインクをつけ、必要とする場所に押し印する。
以上を特徴とする家紋シール及び家紋印鑑である。
【発明の効果】
【０００５】  以前は、家紋があればいいなと思っても一つ二つのときは今発明のものが無かったので利用できなかった。どうしても必要のときは印刷していたのでコストも高くついたがシールがあれば短時間のうちに利用でき、また家に家紋シールを備えておくことで、家を意識し、個々の家を、しいては自分の存在を大切に出来ると思う。
図６の台紙は百円ショップや文房具店で販売したら、ご贈答用品等で注文された品に家名の上に図７の様に印又はシートを貼ったのし紙をはる事のサービスと
2006259651.tif 000003
時用意しておく事も商売上大切と考えられる。
【発明を実施するための最良の形態】
【０００６】  以下、本発明の実施の形態を説明する。
（イ）裏面にアクリル系又は樹脂系の糊の付いた台紙又は樹脂フイルムに各種家紋を印刷する。
（ロ）家紋付きのシールを台紙から剥がし，貼りたい物、貼りたい場所にはりつける。
（ハ）家紋が彫られた印鑑またはスタンプ印を設ける。
（ニ）印かん又はスタンプ印に朱肉又はスタンプインクを付けて押したい物、押したい場所に押す。
本発明は、以上の構成よりなっている。
これを使用するときは、台紙の上に裏面に糊の付いた紙又はフイルムに家紋を印刷し、その家紋シールを剥がして、つけたい物に貼り付ける、また家紋が彫られた印鑑又はスタンプは朱肉、スタンプインクをつけて押したい物に押す。
【図面の簡単な説明】
【０００７】
【図１】本発明の台紙に家紋が印刷された図面
【図２】本発明の印鑑に彫られた家紋
【図３】本発明の他の印鑑に彫られた家紋
【図４】本発明の他のスタンプに彫られた家紋
【図５】本発明の家紋シールの図
【図６】本発明の他の台紙に家紋が印刷された図面
【図７】本発明の祝袋に押された家紋の参考図
【符号の説明】
【符号の説明】
１  台紙
２  家紋シール
３  印鑑
４  スタンプ
【図１】
2006259651.tif 000004
【図２】
2006259651.tif 000005
【図３】
2006259651.tif 000006
【図４】
2006259651.tif 000007
【図５】
2006259651.tif 000008
【図６】
2006259651.tif 000009
【図７】
2006259651.tif 000010
【手続補正書】
【提出日】平成17年9月15日(2005.9.15)
【手続補正１】
【補正対象書類名】特許請求の範囲
【補正対象項目名】請求項４
【補正方法】変更
【補正の内容】
【請求項４】
皇族を除いた日本国内の全ての家紋各々を一家紋ごとに象牙、ひつじ角、マンモスの牙、その他各種動物の角もしくは牙、各種木、アクリル、各種自然石、合成石、合成樹脂、ゴム、合成ゴム、金属または合成金属、チタンで製造されたことを特徴とする家紋印鑑及び家紋スタンプ印。
(57)【要約】      （修正有）【課題】  いつでも、どこででも、手軽に楽しく反復学習することの出来る学習教材を提供する。【解決手段】  長さ約９０ｃｍ、巾約１ｃｍ程度の細長い紙の表面は通常の文字、その裏面には逆向きの文字で学習内容を記載してメビウスの帯状につないだものを作成し、首に掛けてずらすことによって、その記載された学習内容をいつでもどこででも手軽に学習可能となり、何度でも反復学習することができる。【選択図】図３
2006259653.tif 000002
【特許請求の範囲】
【請求項１】
長さ約９０ｃｍ、巾約１ｃｍ程度の細長い紙の表面には通常の文字、その裏面には逆向きの文字で学習内容を記載してメビウスの帯状につないだもので、首に掛けてその紙をずらすことによってその記載された学習内容を常時学習、反復学習することが出来る学習教材
【発明の詳細な説明】
【技術分野】
【０００１】  本発明は、あらゆる学習分野において常時学習を可能とし、効率的な反復学習をするための学習教材に関するものである。
【技術背景】
【０００２】  表と裏の面が限りなく続くというメビウスの帯の理論を活用し、表面は通常の文字、裏面には逆向きに学習内容を記載したものを、１回ひねってつなぎ、それを首に掛けてずらすことによって常時学習、並びに、反復学習が可能となった。
【発明の開示】
【発明が解決しようとする課題】
【０００３】  従来の学習は、教科書や参考書、カセットテープ、又は机や椅子といった、多少なりとも重みのある道具や学習する場所が必要で、いつでもどこでも手軽に学習することが可能な教材がなかった。
【課題を解決するための手段】
【０００４】  長さ約９０ｃｍ、巾約１ｃｍ程度の細長い紙の表面は通常の文字、その裏面には逆向きのの文字で学習内容を記載してメビウスの帯状につないだものを、首に掛けてずらすことによって、その記載された学習内容をいつでもどこでも手軽に学習可能となり、何度でも反復学習することができる。
【発明の効果】
【０００５】  ただ、首に掛けてずらすだけで、その紙の帯に記載された学習内容をいつでもどこでも手軽に学習可能となった。また、メビウスの帯の理論を活用しているので一本の帯の学習内容を何度でも楽しく反復学習できる。
【発明を実施するための最良の形態】
【０００６】  Ａ３程度の紙の両面に、表と裏とを逆さまに学習内容を印刷し、それを２本つなぎにしたものをメビウスの帯状につなげば完成する。
【図面の簡単な説明】
【０００７】
【図１】  紙の表面からみた正面図。「さとうかずゆき佐藤和幸」と書いてある。
【図２】  紙の裏面からみた正面図。「生年月日昭和３２年８月１日」と書いてある。
【図３】  端部Ｂを１回ひねって、端部Ａとつないだ時の見取り図。
【図１】
2006259653.tif 000003
【図２】
2006259653.tif 000004
【図３】
2006259653.tif 000005
(57)【要約】      （修正有）【課題】白内障の人が、物を見えにくくしてしまっているという現状の不都合を解決すること。【解決手段】メガネのレンズを改良又は開発することによって、この課題を解決する。【選択図】なし【特許請求の範囲】
【請求項１】
メガネのレンズを、白内障の人に利用していただけるようにレンズを改良又は、開発する事によって、物を見ることが容易になることを特徴とするメガネ。
【発明の詳細な説明】
【技術分野】
【０００１】  本発明は、メガネのレンズに関するものであり、メガネのレンズを改良又は、開発することによって、白内障の人が、容易に物を見る事ができるようにしたものです。
【背景技術】
【０００２】  従来から、レンズとして、いろいろな分野で利用されている。この例として、特許文献１や、非特許文献１に開示されているものがある。
【特許文献１】  私は在じません
【非特許文献１】  私は在じません
【発明の開示】
【発明が解決しようとする課題】
【０００３】  しかし、従来のようなメガネのレンズには、白内障の人が見る事に利用できる種類はありません。このような不都合を解決することを課題とします。【０００４】  この課題を解決するための請求項１の発明は、レンズの改良又は開発によって、白内障の人が、物を見ることができるようにした、白内障用レンズです。
【発明の効果】
【０００５】  本発明により、白内障の人が、物を見ることが困難という不都合をおぎなうことができます。
【発明を実施するための最良の形態】
【０００６】  これらのメガネの材料は、ガラスやレンズなどの通常のものか、新たな素材を利用又は開発することによって可能となる。
【産業上の利用可能性】
【０００７】  本発明に係るレンズは、医療分野において、個人向けにする事によって、工業的に量産することが可能であり、産業上の利用可能性を有する。